(57)【要約】【課題】表示部の視認性が低下するのを防ぐことができる家庭用電気製品の表示部構造を提供する。【解決手段】家庭用電気製品の表示部構造は、パネル部(２０７)と、パネル部(２０７)に設けられた第１透明部(２２０)と、パネル部(２０７)の内側に設けられ、第１透明部(２２０)に対向する第２透明部(２２１)と、パネル部(２０７)と第２透明部(２２１)との間をシールするシール部(２２２)と、第２透明部(２２１)の内側に設けられ、第２透明部(２２１)に対向する表示部(２１４)と、第１透明部(２２０)と第２透明部(２２１)との間に設けられた断熱層(２２３)とを備える。【選択図】図２
2014180450.tif 000002
【特許請求の範囲】
【請求項１】
パネル部と、
上記パネル部に設けられた第１透明部と、
上記パネル部の内側に設けられ、上記第１透明部に対向する第２透明部と、
上記パネル部と上記第２透明部との間をシールするシール部と、
上記第２透明部の内側に設けられ、上記第２透明部に対向する表示部と、
上記第１透明部と上記第２透明部との間に設けられた断熱層と
を備えることを特徴とする家庭用電気製品の表示部構造。
【請求項２】
請求項１に記載の家庭用電気製品の表示部構造において、
上記パネル部には、上記第１透明部の周囲に位置するように静電容量式タッチキーが設けられていることを特徴とする家庭用電気製品の表示部構造。
【請求項３】
請求項２に記載の家庭用電気製品の表示部構造において、
上記静電容量式タッチキーは、
上記パネル部の内側に設けられた電極部と、
上記電極部の内側に設けられ、上記電極部を覆う絶縁部と
を有することを特徴とする家庭用電気製品の表示部構造。
【請求項４】
請求項３に記載の家庭用電気製品の表示部構造において、
上記パネル部の厚さに対する上記絶縁部の厚さの比は、１／３以上であることを特徴とする家庭用電気製品の表示部構造。
【請求項５】
請求項１から４までのいずれか一項に記載の家庭用電気製品の表示部構造において、
上記シール部は、上記第２透明部よりも比熱が高いことを特徴とする家庭用電気製品の表示部構造。
【発明の詳細な説明】
【技術分野】
【０００１】
本発明は、例えば電気炊飯器、電気ポット等に使用される家庭用電気製品の表示部構造に関する。
【背景技術】
【０００２】
従来、家庭用電気製品の表示部構造としては、特開２０１１−２５１０３２号公報(特許文献１)の電気炊飯器に設けられたものがある。より詳しくは、上記電気炊飯器は、図６に示すように、蓋体１０００の上部を構成するパネル部１００１を備えている。このパネル部１００１の内側には、表示部１００３を収容する収容ケース１００２を配置している。この収容ケース１００２はパネル部１００１の内面の所定箇所にネジ１００４，１００５で取り付けられており、収容ケース１００２の取り付け方向の端面とパネル部１００１の内面との間にはシール部１００６が介在する。
【０００３】
また、上記パネル部１００１には、表示部１００３に対向する開口部１００１ａが設けられている。この開口部１００１ａは透明部材１００７で塞がれている。ユーザは、透明部材１００７を介して、表示部１００３の表示を視認できるようになっている。
【０００４】
なお、図６は、特開２０１１−２５１０３２号公報の電気炊飯器の表示部構造を判り易く説明するために模式化した図であり、特開２０１１−２５１０３２号公報に記載された図ではない。
【先行技術文献】
【特許文献】
【０００５】
【特許文献１】特開２０１１−２５１０３２号公報
【発明の概要】
【発明が解決しようとする課題】
【０００６】
ところで、上記蓋体１００１に収容ケース１００２を取り付けるとき、パネル部１００１と収容ケース１００２との間の空間に、空気中の水分が侵入する可能性が高い。このため、上記パネル部１００１の外側の温度が低く、パネル部１００１の内側の温度が高くなり、これらの温度の差が大きくなった場合、透明部材１００７の内面(表示部１００３側の表面)に結露が生じる恐れがある。
【０００７】
したがって、上記透明部材１００７の内面に結露が生じれば、透明部材１００７が曇って、表示部１００３の視認性が低下するという問題が起きてしまう。
【０００８】
上記問題を解決する方法としては、パネル部１００１と収容ケース１００２との間の空間に乾燥剤を配置する方法が考えられる。
【０００９】
しかしながら、上記乾燥剤はパネル部１００１と収容ケース１００２との間の水分を吸収できるが、乾燥剤の水分の吸収量には上限がある。
【００１０】
また、上記乾燥剤に吸収された水分が、パネル部１００１と収容ケース１００２との間に再放出される恐れもある。
【００１１】
したがって、上記パネル部１００１と収容ケース１００２との間の空間に乾燥剤を配置する方法は、上記問題を解決する方法として相応しくない。
【００１２】
そこで、本発明の課題は、表示部の視認性が低下するのを防ぐことができる家庭用電気製品の表示部構造を提供することにある。
【課題を解決するための手段】
【００１３】
上記課題を解決するため、本発明の家庭用電気製品の表示部構造は、
パネル部と、
上記パネル部に設けられた第１透明部と、
上記パネル部の内側に設けられ、上記第１透明部に対向する第２透明部と、
上記パネル部と上記第２透明部との間をシールするシール部と、
上記第２透明部の内側に設けられ、上記第２透明部に対向する表示部と、
上記第１透明部と上記第２透明部との間に設けられた断熱層と
を備えることを特徴としている。
【００１４】
一実施形態の家庭用電気製品の表示部構造では、
上記パネル部には、上記第１透明部の周囲に位置するように静電容量式タッチキーが設けられている。
【００１５】
一実施形態の家庭用電気製品の表示部構造では、
上記静電容量式タッチキーは、
上記パネル部の内側に設けられた電極部と、
上記電極部の内側に設けられ、上記電極部を覆う絶縁部と
を有する。
【００１６】
一実施形態の家庭用電気製品の表示部構造では、
上記パネル部の厚さに対する上記絶縁部の厚さの比は、１／３以上である。
【００１７】
一実施形態の家庭用電気製品の表示部構造では、
上記シール部は、上記第２透明部よりも比熱が高い。
【発明の効果】
【００１８】
本発明の家庭用電気製品のシール表示部構造は、パネル部と、このパネル部に設けられた第１透明部と、パネル部の内側に設けられ、第１透明部に対向する第２透明部と、パネル部と第２透明部との間をシールするシール部と、第２透明部の内側に設けられ、第２透明部に対向する表示部と、第１透明部と第２透明部との間に設けられた断熱層とを備えるので、表示部近傍の温度と第２透明部の温度との差は小さく保たれる。したがって、上記第２透明部が結露で曇る恐れを低減することができる。その結果、上記表示部の視認性が低下するのを防ぐことができる。
【図面の簡単な説明】
【００１９】
【図１】本発明の一実施の形態の家庭用電気製品の表示部構造を備えた電気炊飯器の概略断面図である。
【図２】図１の一部の拡大模式図である。
【図３】本発明の第２実施形態の家庭用電気製品の表示部構造を備えた電気炊飯器の操作パネルの概略上面図である。
【図４】上記操作パネルの概略下面図である。
【図５】上記電気炊飯器の蓋体の要部の概略断面図である。
【図６】従来の家庭用電気製品の表示部構造を説明するための模式図である。
【発明を実施するための形態】
【００２０】
以下、本発明の家庭用電気製品の表示部構造を図示の実施形態により詳細に説明する。
【００２１】
〔第１実施形態〕
図１は、本発明の第１実施形態の家庭用電気製品の表示部構造を備えた電気炊飯器の概略断面図である。
【００２２】
上記電気炊飯器は、炊飯器本体１と、この炊飯器本体１に開閉可能に取り付けられた蓋体２と、炊飯器本体１に収納され、米や水などを収容する有底円筒形状の内鍋３とを備えている。
【００２３】
上記炊飯器本体１は、外ケース１０１と、内鍋３が収納される内ケース１０２とを有する。また、炊飯器本体１の前部にはラッチ機構１０３が設けられており、蓋体２は前部がラッチ機構１０３に解除可能に係止されて閉じた状態となる。この状態で、外ケース１０１の前部から露出する開ボタン１０４を押すと、ラッチ機構１０３の係止が解除されて、コイルバネ１０５の付勢力で蓋体２が開くようになっている。
【００２４】
上記内ケース１０２は、耐熱性および電気絶縁性を有する材料で形成されている。内ケース１０２の底部の中央部上には上下方向に移動可能に可動部材１０６が配置されている。この可動部材１０６の上部には接触式温度センサ１０７が取り付けられている。内鍋３を内ケース１０２に収納すると、可動部材１０６および伝熱板１０８が内鍋３の底部に接触する。このとき、コイルバネ１１０が可動部材１０６を上方に付勢しているので、可動部材１０６の上部が内鍋３の底部に確実に接触する。また、内ケース１０２の底部上には、内鍋３を加熱するための伝熱板１０８を配置している。この伝熱板１０８内には抵抗加熱式ヒータ１０９を埋め込んでおり、伝熱板１０８はヒータ１０９の熱を内鍋３の底部に伝える。
【００２５】
上記内鍋３は、例えばアルミニウムなどの高熱伝導部材で形成されている。この高熱伝導部材の内面には、米などの被加熱物の付着を防ぐためのフッ素樹脂がコーティングされている。上記高熱伝導部材はプレスまたは鋳造で成型される。
【００２６】
上記蓋体２は、後部が炊飯器本体１に回動可能に取り付けられた外蓋２０１と、この外蓋２０１の内鍋３側の突起部２０１ａに樹脂製のパッキン２０３を介して着脱可能に取り付けられた内蓋２０２とを有している。この内鍋２０２には蒸気排出筒２０４が取り付けられている。これにより、内鍋３内の蒸気が蒸気排出筒２０４内を通って排気通路２０５へ流出することが可能になっている。この排気通路２０５の蒸気は外蓋２０１の排気口(図示せず)から外蓋２０１外へ排出される。
【００２７】
上記外蓋２０１の内蓋２０２側とは反対側には、操作パネル取付部材２０６が設けられている。また、操作パネル取付部材２０６には操作パネル２０７が取り付けられている。そして、操作パネル取付部材２０６の後部と外蓋２０１の蒸気排出筒２０４近傍の部分との間には、樹脂製のパッキン２０８の一部が配置されている。これにより、排気通路２０５の蒸気が操作パネル取付部材２０６と外蓋２０１の間に浸入しないようにしている。なお、操作パネル２０７はパネル部の一例である。
【００２８】
上記操作パネル２０７は、開口部２０７ａを有し、収容ケース２０９を覆っている。より詳しくは、操作パネル２０７の周縁部は操作パネル取付部材２０６に接着材で接着されており、操作パネル２０７の操作パネル取付部材２０６側の部分には収容ケース２０９の底部２０９ａの周縁部がネジ２１０，２１１で取り付けられている。また、収容ケース２０９の底部２０９ａには、プリント基板２１２がネジ２１８で取り付けられている。
【００２９】
また、上記操作パネル２０７の開口部２０７ａは、板形状の外側透明部２２０で塞がれている。この収容ケース２０９内には、操作ボタン２１３や表示部２１４などを搭載するプリント基板２１２を収容している。また、操作パネル２０７には貫通孔２１９が設けられ、操作ボタン２１３の先端部が貫通孔２１９に挿入されている。また、操作パネル２０７の外側の表面には、貫通孔２１９を塞ぐように樹脂フィルム２１６を貼り付けている。このとき、操作ボタン２１３の先端は操作パネル２０７の外側の表面より外側に位置するため、樹脂フィルム２１６の貫通孔２１９上の部分は樹脂フィルム２１６の他の部分よりも少し盛り上がる。また、表示部２１４は、例えば液晶表示部からなり、操作ボタン２１３の操作などに応じた表示を行う。なお、外側透明部２２０の第１透明部の一例である。
【００３０】
上記収容ケース２０９は、底部２０９ａと、この底部２０９ａ上に立設された筒状の側壁２０９ｂとを有している。この収容ケース２０９の側壁２０９ｂには、操作パネル２０７が有する筒状の嵌合部２０７ｂが外嵌している。また、収容ケース２０９の側壁２０９ｂの側方には樹脂性のパッキン２１５が配置されている。これにより、収容ケース２０９の側壁２０９ｂと嵌合部２０７ｂとの間が全周にわたってパッキン２１５でシールされている。
【００３１】
図２は、図１の一部を拡大した模式図である。
【００３２】
上記操作パネル２０７の内側には、外側透明部２２０に対向する板形状の内側透明部２２１が配置されている。この内側透明部２２１の外周縁部と開口部２０７ａの周縁部との間は、全周にわたってシール部２２２によりシールされている。これにより、外側透明部２２０と内側透明部２２１との間には空気層２２３が形成されている。このシール部２２２は、空気層２２３への水分の侵入を防ぐことができる絶縁材料(例えばポリエチレン)からなっている。また、シール部２２２は接着剤によって操作パネル２０７および内側透明部２２１に接着されている。ここで、操作パネル２０７および外側透明部２２０の厚さは例えば１．５ｍｍ、シール部２２２の厚さは例えば０．５ｍｍ、内側透明部２２１の厚さは例えば１．０ｍｍである。また、空気層２２３の厚さは、外側透明部２２０および内側透明部２２１が延びる方向において略一定であり、シール部２２２の厚さと略等しくなっている。また、外側透明部２２０および内側透明部２２１は、ユーザが表示部２１４の表示を見ることができる程度の透明度を有する絶縁材料(例えばポリカーボネートシート)からなっている。なお、内側透明部２２１は第２透明部の一例であり、空気層２２３は断熱層，気体層の一例である。
【００３３】
上記構成の炊飯器によれば、表示部２１４近傍の温度に比べて、操作パネル２０７の外側の温度が大きく下がった場合、外側透明部２２０と内側透明部２２１との間には空気層２２３が設けられているので、内側透明部２２１は操作パネル２０７の外側の温度の影響を受け難い。すなわち、表示部２１４近傍の温度と内側透明部２２１の温度との差は小さく保たれる。したがって、仮に、蒸気が収容ケース２０９内に侵入した場合であっても、内側透明部２２１の曇りを抑制できる。その結果、表示部２１４の視認性が低下するのを防ぐことができる。
【００３４】
また、仮に、上記操作パネル２０７に収容ケース２０９をネジ２１０，２１１で取り付けるときに、多量の湿気を含んだ空気が収容ケース２０９内に入ってしまっても、内側透明部２２１の内面で結露が生じる可能性を低減できる。
【００３５】
上記第１実施形態では、外側透明部２２０と内側透明部２２１との間に空気層２２３を形成していたが、外側透明部２２０と内側透明部２２１との間に例えばアルゴンガス層を形成してもよい。あるいは、外側透明部２２０と内側透明部２２１との間に、液体層または真空層を形成してもよい。ここで、上記液体層は、外側透明部２２０よりも熱伝導率が低い透明な液体からなってもよいし、空気よりも熱伝導率が低い透明な液体からなってもよい。なお、上記液体層，真空層は断熱層の一例である。
【００３６】
上記第１実施形態では、電気炊飯器は、内鍋３内の被加熱物を攪拌する機能を有していなかったが、特開２０１１−１５６２３６または特開２０１２−１３５６０５のように、内鍋内の被加熱物を攪拌する機能を有してもよい。
【００３７】
上記第１実施形態では、プリント基板２１２は、収容ケース２０９内に収容されていたが、プリント基板２１２を収容しないようにしてもよい。すなわち、上記第１実施形態において、収容ケース２０９を用いないようにしてもよい。
【００３８】
上記第１実施形態では、操作パネル２０７の開口部２０７ａに、開口部２０７ａを塞ぐように外側透明部２２０を取り付けることにより、家庭用電気製品の表示部構造の一例の一部を形成していたが、透明な部材の一部以外の部分を不透明な塗料で着色したり、または、透明な部材の一部以外の部分を不透明な部材で覆ったりすることにより、家庭用電気製品の表示部構造の一例の一部を形成してもよい。すなわち、透明な部材の一部以外の部分を不透明な塗料で着色したり、または、透明な部材の一部以外の部分を不透明な部材で覆ったりすることで、操作パネル２０７および外側透明部２２０からなる構成部と同様の構成部を得てもよい。
【００３９】
〔第２実施形態〕
図３は、本発明の第２実施形態の家庭用電気製品の表示部構造を備えた電気炊飯器の操作パネル３０１の概略上面図である。
【００４０】
上記操作パネル３０１は、絶縁材料(例えばＡＢＳ(エービーエス)材)からなり、開口部３０１ａを有している。この開口部３０１ａは外側透明部３０２によって塞がれている。また、開口部３０１ａの周囲には、静電容量式タッチキー３０３が設けられている。なお、操作パネル３０１は、図１の蓋体２と同様の蓋体(図示せず)の上部の大部分を構成する。
【００４１】
上記外側透明部３０２は、ユーザが外側透明部３０２の外側から外側透明部３０２の内側を見ることができる程度の透明度を有する絶縁材料(例えばＡＢＳ材)からなっている。
【００４２】
上記静電容量式タッチキー３０３は、ユーザがタッチするタッチキー部３０４，３０６，・・・，３１１を有している。このタッチキー部３０４，３０６，・・・，３１１は、それぞれ、操作パネル３０１の一部からなっている。ユーザは、タッチキー部３０４，３０６，・・・，３１１にタッチすることにより、炊飯コースの選択、炊飯の予約などを行えるようになっている。また、ユーザがタッチキー部３０４，３０６，・・・，３１１にタッチすると、タッチキー部３０４，３０６，・・・，３１１の内側に配置されたＬＥＤ(発光ダイオード)が点灯する。これにより、タッチキー部３０４，３０６，・・・，３１１の一部が点灯しているように見える。
【００４３】
図４は上記操作パネル３０１の概略下面図である。また、図５は上記蓋体の要部の概略断面図である。
【００４４】
上記操作パネル３０１の内側には、図４，図５に示すように、外側透明部３０２に対向する板形状の内側透明部３１２が配置されている。この内側透明部３１２の外周縁部と開口部２０７ａの周縁部との間は、全周にわたってシール部３１３によりシールされている。これにより、外側透明部３０２と内側透明部３１２との間には空気層３１４が形成されている。また、シール部３１３は接着剤によって操作パネル３０１および内側透明部３１２に接着されている。ここで、操作パネル３０１および外側透明部３０２の厚さは例えば１．５ｍｍ、シール部３１３の厚さは例えば０．５ｍｍ、内側透明部３１２の厚さは例えば１．０ｍｍである。また、空気層３１４の厚さは、外側透明部３０２および内側透明部３１２が延びる方向において略一定であり、シール部３１３の厚さと略等しくなっている。なお、内側透明部３１２は第２透明部の一例であり、空気層３１４は断熱層の一例である。
【００４５】
上記内側透明部３１２は、ユーザが内側透明部３１２の外側から内側透明部３１２の内側を見ることができる程度の透明度を有する絶縁材料(例えばポリカーボネートシート)からなっている。
【００４６】
上記シール部３１３は、例えばポリエチレン系絶縁材料からなるシール部本体３１３ａと、このシール部本体３１３ａ上に設けられた上側両面テープ３１３ｂと、シール部本体３１３ａ下に設けられた下側両面テープ３１３ｃとを有している。この上側両面テープ３１３ｂおよび下側両面テープ３１３ｃは、それぞれ、クッション部および糊部を有している。上記クッション部は例えばポリエチレン系絶縁材料からなる一方、上記糊部は例えばアクリル系絶縁材料からなる。このようなシール部３１３により、空気層３１４への水分の侵入を防ぐことができるようになっている。
【００４７】
上記静電容量式タッチキー３０３は、操作パネル３０１の厚さ方向においてタッチキー部３０４，３０６，・・・，３１１に重なる例えば厚さ０．４ｍｍの電極３１５，３１６，・・・，３２２と、この電極３１５，３１６，・・・，３２２の内側に設けられた例えば厚さ０．１ｍｍの拡散シート３２３，３２４，３２５と、この拡散シート３２３，３２４，３２５の内側に設けられた例えば厚さ０．５ｍｍの保護シート３２６，３２７，３２８とを有している。なお、電極３１５，３１６，・・・，３２２，拡散シート３２３，３２４，３２５は電極部の一例であり、保護シート３２６，３２７，３２８は絶縁部の一例である。
【００４８】
上記電極３１５，３１６，・・・，３２２は、フレキシブルプリント基板３２９に設けられている。このフレキシブルプリント基板３２９の配線パターン(図示せず)により、電極３１５，３１６，・・・，３２２と制御装置(図示せず)とが互いに電気的に接続される。また、電極３１５，３１６，・・・，３２２は、それぞれ、導電性材料(例えば透明性導電インク)からなっている。
【００４９】
上記拡散シート３２３は電極３１５，３１６，３１７を覆い、拡散シート３２４は電極３１８，３１９，３２０を覆い、拡散シート３２５は電極３２１，３２２を覆っている。また、拡散シート３２３，３２４，３２５は、それぞれ、上記ＬＥＤからの光を拡散可能な絶縁材料(例えばＰＥＴ(ポリエチレンテレフタレート)材)からなっている。
【００５０】
上記保護シート３２６，３２７，３２８は、拡散シート３２３，３２４，３２５と略同形状に形成され、拡散シート３２３，３２４，３２５を覆っている。
【００５１】
また、上記内側透明部３１２の内側には、内側透明部３１２に対向するように表示部３３０が設置されている。これにより、ユーザは、外側透明部３０２および内側透明部３１２を介して表示部３３０の表示を視認できるようになっている。また、表示部３３０は、例えば液晶表示部からなり、タッチキー部３０４，３０６，・・・，３１１の操作などに応じた表示を行う。
【００５２】
上記構成の炊飯器によれば、表示部３３０近傍の温度に比べて、操作パネル３０１の外側の温度が大きく下がった場合、外側透明部３０２と内側透明部３１２との間には空気層３１４が設けられているので、内側透明部３１２は操作パネル３０１の外側の温度の影響を受け難い。すなわち、表示部３３０近傍の温度と内側透明部３１２の温度との差は小さく保たれる。したがって、内側透明部３１２が結露で曇る恐れを低減することができる。その結果、表示部３３０の視認性が低下するのを防ぐことができる。
【００５３】
また、上記開口部３０１ａの周囲には静電容量式タッチキー３０３が設けられているが、内側透明部３１２における結露の発生の可能性は低いので、静電容量式タッチキー３０３の信頼性を高めることができる。
【００５４】
仮に、上記内側透明部３１２で結露が生じたとしても、保護シート３２６，３２７，３２８が電極３１５，３１６，・・・，３２２および拡散シート３２３，３２４，３２５を覆っているので、結露が電極３１５，３１６，・・・，３２２および拡散シート３２３，３２４，３２５に付着するのを防ぐことができる。したがって、そのような結露の付着が原因で静電容量式タッチキー３０３の感度が低下するのを防ぐことができる。
【００５５】
また、上記操作パネル３０１の厚さに対する保護シート３２６，３２７，３２８の厚さの比は１／３であるので、静電容量式タッチキー３０３の感度を良好にすることができる。
【００５６】
上記第２実施形態では、外側透明部３０２と内側透明部３１２との間に空気層３１４を形成していたが、外側透明部３０２と内側透明部３１２との間に例えばアルゴンガス層を形成してもよい。
【００５７】
上記第２実施形態において、表示部３３０、内側透明部３１２およびシール部３１３は、第１実施形態で記載したように、収容ケース内に収容されるようにしてもよいし、収容ケース内に収容されないようにしてもよい。
【００５８】
上記第２実施形態において、電気炊飯器は、内鍋内の被加熱物を攪拌する機能を有さなくてよいし、特開２０１１−１５６２３６号公報または特開２０１２−１３５６０５号公報の電気炊飯器のように、内鍋内の被加熱物を攪拌する機能を有してもよい。
【００５９】
上記第２実施形態において、操作パネル３０１の厚さに対する保護シート３２６，３２７，３２８の厚さの比を１／３を超える値にしてもよい。このようにする場合、操作パネル３０１の内側のスペースが大きく減らないようにする観点上、上記値は１以下にするとよい。
【００６０】
上記第２実施形態では、操作パネル３０１の開口部３０１ａに、開口部３０１ａを塞ぐように外側透明部３０２を取り付けることにより、家庭用電気製品の表示部構造の一例の一部を形成していたが、透明な部材の一部以外の部分を不透明な塗料で着色したり、または、透明な部材の一部以外の部分を不透明な部材で覆ったりすることにより、家庭用電気製品の表示部構造の一例の一部を形成してもよい。すなわち、透明な部材の一部以外の部分を不透明な塗料で着色したり、または、透明な部材の一部以外の部分を不透明な部材で覆ったりすることで、操作パネル３０１および外側透明部３０２からなる構成部と同様の構成部を得てもよい。
【００６１】
上記第２実施形態において、シール部３１３を内側透明部３１２よりも比熱の高い材質(例えばポリプロピレン)で形成してもよい。
【００６２】
上記シール部３１３を内側透明部３１２よりも比熱の高い材質で形成した場合、内側透明部３１２よりも絶縁部材３１３の温度を低温に保つことができ、シール部３１３における結露を増やすことで、内側透明部３１２における結露を低減することができる。
【００６３】
また、その場合、上記外側透明部３０２の周囲に配置されるシール部３１３において、電極３１５，３１６，・・・，３２２と隣り合っていない部分(電極３１５，３１６，・・・，３２２近傍に配置されていない部分)の比熱だけを高くすれば、シール部３１３への結露による電極３１５，３１６，・・・，３２２への影響も低減することができる。
【００６４】
また、上記シール部３１３の電極３１５，３１６，・・・，３２２と隣り合っていない部分を外側(空気層３１４の外方)へと延在させれば、シール部３１３の熱容量を増やし、温度上昇をより抑えることができ、シール部３１３における結露を増やすことができる。これによって、内側透明部３１２における結露を低減できる。
【００６５】
本発明の具体的な実施形態について説明したが、本発明は上記第１，第２実施形態に限定されるものではなく、本発明の範囲内で種々変更して実施することができる。例えば、第１，第２実施形態の記載を適宜組み合わせたものを本発明の一実施形態としてもよい。
【００６６】
また、本発明の家庭用電気製品の表示部構造は、電気炊飯器以外の加熱調理器にも適用できるし、電気ポット、オーブンレンジ、食器洗浄機、洗濯乾燥機等にも適用できる。
【００６７】
すなわち、本発明および実施形態を纏めると、次のようになる。
【００６８】
本発明の家庭用電気製品の表示部構造は、
パネル部２０７，３０１と、
上記パネル部２０７，３０１に設けられた第１透明部２２０，３０２と、
上記パネル部２０７，３０１の内側に設けられ、上記第１透明部２２０，３０２に対向する第２透明部２２１，３１２と、
上記パネル部２０７，３０１と上記第２透明部２２１，３１２との間をシールするシール部２２２，３１３と、
上記第２透明部２２１，３１２の内側に設けられ、上記第２透明部２２１，３１２に対向する表示部２１４，３３０と、
上記第１透明部２２０，３０２と上記第２透明部２２１，３１２との間に設けられた断熱層２２３，３１４と
を備えることを特徴としている。
【００６９】
ここで、上記第１，第２透明部２２０，３０２，２２１，３１２は、ユーザが第１，第２透明部２２０，３０２，２２１，３１２を介して表示部２１４，３３０の表示を視認できる程度の透明度を有するものである。
【００７０】
また、上記内側とは、家庭用電気製品の内部側を意味する。
【００７１】
上記構成の家庭用電気製品の表示部構造によれば、上記表示部２１４，３３０近傍の温度に比べて、パネル部２０７，３０１の外側の温度が大きく下がった場合、第１透明部２２０，３０２と第２透明部２２１，３１２との間には断熱層２２３，３１４が設けられているので、第２透明部２２１，３１２はパネル部２０７，３０１の外側の温度の影響を受け難くなる。すなわち、上記表示部２１４，３３０近傍の温度と第２透明部２２１，３１２の温度との差は小さく保たれる。したがって、上記第２透明部２２１，３１２が結露で曇る恐れを低減することができる。その結果、上記表示部２１４，３３０の視認性が低下するのを防ぐことができる。
【００７２】
一実施形態の家庭用電気製品の表示部構造では、
上記パネル部３０１には、上記第１透明部３０２の周囲に位置するように静電容量式タッチキー３０３が設けられている。
【００７３】
上記実施形態の家庭用電気製品の表示部構造によれば、上記パネル部３０１には、第１透明部３０２の周囲に位置するように静電容量式タッチキー３０３が設けられているが、第２透明部３１２における結露の発生の可能性は低いので、静電容量式タッチキー３０３の信頼性を高めることができる。
【００７４】
一実施形態の家庭用電気製品の表示部構造では、
上記静電容量式タッチキー３０３は、
上記パネル部３０１の内側に設けられた電極部３１５，３１６，・・・，３２２，３２３，３２４，３２５と、
上記電極部３１５，３１６，・・・，３２２，３２３，３２４，３２５の内側に設けられ、上記電極部３１５，３１６，・・・，３２２，３２３，３２４，３２５を覆う絶縁部３２６，３２７，３２８と
を有する。
【００７５】
上記実施形態の家庭用電気製品の表示部構造によれば、仮に、上記第２透明部３１２で結露が生じたとしても、絶縁部３２６，３２７，３２８が電極部３１５，３１６，・・・，３２２，３２３，３２４，３２５を覆っているので、結露が電極部３１５，３１６，・・・，３２２，３２３，３２４，３２５に付着するのを防ぐことができる。したがって、上記静電容量式タッチキー３０３の感度が電極部３１５，３１６，・・・，３２２，３２３，３２４，３２５への結露の付着で低下するのを防ぐことができる。
【００７６】
一実施形態の家庭用電気製品の表示部構造では、
上記パネル部３０１の厚さに対する上記絶縁部３２６，３２７，３２８の厚さの比は、１／３以上である。
【００７７】
上記実施形態の家庭用電気製品の表示部構造によれば、上記パネル部３０１の厚さに対する絶縁部３２６，３２７，３２８の厚さの比は、１／３以上であるので、静電容量式タッチキー３０３の感度を良好にすることができる。
【００７８】
一実施形態の家庭用電気製品の表示部構造では、
上記パネル部３０１の厚さに対する上記絶縁部３２６，３２７，３２８の厚さの比は、１以下である。
【００７９】
上記実施形態の家庭用電気製品の表示部構造によれば、上記パネル部２０７，３０１の厚さに対する絶縁部３２６，３２７，３２８の厚さの比は、１以下であるので、パネル部３０１の内側のスペースが大きく減らないようにすることができる。したがって、上記パネル部３０１の表示部３３０側における設計の自由度が低下するのを防ぐことができる。
【００８０】
一実施形態の家庭用電気製品の表示部構造では、
上記シール部は、上記第２透明部３１２よりも比熱が高い。
【００８１】
上記実施形態の家庭用電気製品の表示構造によれば、上記シール部を比熱の高い材質で形成した場合、第２透明部３１２よりもシール部の温度を低温に保つことができ、シール部における結露を増やすことで、第２透明部３１２における結露を低減することができる。
【００８２】
一実施形態の家庭用電気製品の表示部構造では、
上記断熱層２２３，３１４は気体層２２３，３１４である。
【００８３】
上記実施形態の家庭用電気製品の表示部構造によれば、上記断熱層２２３，３１４は気体層２２３，３１４であるので、気体層２２３，３１４を介して表示部２１４，３３０を良好に視認できる。
【００８４】
また、上記断熱層２２３，３１４は気体層２２３，３１４であるので、容易に作成することができて、製造コストの上昇を抑制できる。
【符号の説明】
【００８５】
２０７，３０１  操作パネル
２１４，３３０  表示部
２２０，３０２  外側透明部
２２１，３１２  内側透明部
２２２，３１３  シール部
３０３  静電容量式タッチキー
３２６，３２７，３２８  保護シート
３１５，３１６，・・・，３２２  電極
３２３，３２４，３２５  拡散シート
【図１】
2014180450.tif 000003
【図２】
2014180450.tif 000004
【図３】
2014180450.tif 000005
【図４】
2014180450.tif 000006
【図５】
2014180450.tif 000007
【図６】
2014180450.tif 000008